(57)【特許請求の範囲】
【請求項１】
それぞれ収容物が収容された２〜４個のフレキシブルコンテナを運搬する際に用いられる運搬具であって、
前記２〜４個のフレキシブルコンテナが載せられる底部と、
両端部が前記底部に接続された細長い部材で形成され、前記底部に載せられるフレキシブルコンテナの数に一致する数だけ設けられた吊り下げ部と、
隣り合う吊り下げ部同士を結合することによって、隣り合うフレキシブルコンテナ同士が密着した状態に保持する結合部と、を備え、
前記各吊り下げ部は、吊り下げられた状態において隣り合うフレキシブルコンテナが互いに密着するように外から対応するフレキシブルコンテナを押える運搬具。
【請求項２】
前記吊り下げ部を構成する細長い部材のうち、一端部が前記底部に接続された第１部位と、一端部が前記底部に接続された第２部位とを接続する補助部を備えている請求項１に記載の運搬具。
【請求項３】
前記２〜４個のフレキシブルコンテナを包み込むカバーを備えている請求項１又は２に記載の運搬具。
【請求項４】
前記底部は、複数の細長い部材を組み合わせた構成であり、
前記カバーの内側に敷く底板が設けられている請求項３に記載の運搬具。
【請求項５】
前記カバーの吸引口から、前記カバー内の空気を吸引可能に構成されている請求項３又は４に記載の運搬具。
【請求項６】
請求項１〜５の何れか１項に記載の運搬具を用いて２〜４個のフレキシブルコンテナを運搬する方法であって、
底部に載せられるフレキシブルコンテナの数に一致する数だけ設けられた吊り下げ部に対応した位置の底部上にそれぞれフレキシブルコンテナを置き、
結合部によって互いに隣り合う前記吊り下げ部同士を結合し、
隣り合うフレキシブルコンテナが互いに密着するように前記吊り下げ部が外から対応するフレキシブルコンテナを押えた状態になるように前記吊り下げ部を持ち上げて前記フレキシブルコンテナを運搬する、運搬具を用いた運搬方法。
【請求項７】
前記２〜４個のフレキシブルコンテナをカバーで包み込み、カバー内の空気を抜く請求項６に記載の運搬具を用いた運搬方法。
【発明の詳細な説明】
【技術分野】
【０００１】
本発明は、運搬具及び運搬具を用いた運搬方法に関するものである。
【背景技術】
【０００２】
従来、下記特許文献１に開示されているように、被運搬物を運搬する際に用いられる運搬具が知られている。この特許文献１に開示されている運搬具は、柔軟な素材で形成され、粉粒体を収容したフレキシブルコンテナバックを運搬するのに用いられる。この運搬具は、円板状に形成された底板部と、ワイヤー、ベルト等で形成された懸架体が底板部の周方向に複数配置された構成の吊り下げ部とを備えている。
【先行技術文献】
【特許文献】
【０００３】
【特許文献１】特開２００８−２８５１９８号公報
【発明の概要】
【発明が解決しようとする課題】
【０００４】
特許文献１に開示された運搬具は、フレキシブルコンテナの開封作業を行うための補助具であるため、１つのフレキシブルコンテナ（被運搬物）を運搬することが前提となっている。一方、フレキシブルコンテナをトラックやダンプカーに載せて運搬する際には、例えば１０ｔトラックの場合、６個程度載置することが可能であるため、特許文献１に開示された運搬具のようにフレキシブルコンテナ（被運搬物）を１個ずつ運搬する運搬具では、積み降ろし作業に時間がかかってしまう。
【０００５】
そこで、本発明は、前記従来技術を鑑みてなされたものであり、その目的とするところは、複数の被運搬物を同時に運搬できる運搬具及び運搬具を用いた運搬方法を提供することにある。
【課題を解決するための手段】
【０００６】
前記の目的を達成するため、本発明は、それぞれ収容物が収容された２〜４個のフレキシブルコンテナを運搬する際に用いられる運搬具であって、前記２〜４個のフレキシブルコンテナが載せられる底部と、両端部が前記底部に接続された細長い部材で形成され、前記底部に載せられるフレキシブルコンテナの数に一致する数だけ設けられた吊り下げ部と、隣り合う吊り下げ部同士を結合することによって、隣り合うフレキシブルコンテナ同士が密着した状態に保持する結合部と、を備え、前記各吊り下げ部は、吊り下げられた状態において隣り合うフレキシブルコンテナが互いに密着するように外から対応するフレキシブルコンテナを押える運搬具である。
【０００７】
本発明では、底部に２〜４個のフレキシブルコンテナ（被運搬物）を載せることができるため、クレーン等で複数の吊り下げ部を吊持することにより、一度に２〜４個のフレキシブルコンテナを運搬することができる。しかも、底部に載せられるフレキシブルコンテナの数に一致する数だけ設けられた吊り下げ部が設けられているため、各吊り下げ部は、吊り下げられた状態において隣り合うフレキシブルコンテナが互いに密着するように外から対応するフレキシブルコンテナを押えることができる。さらにまた、結合部によって隣り合うフレキシブルコンテナが密着した状態に保持されるので、複数のフレキシブルコンテナを一括して運搬するときに、安定した状態でフレキシブルコンテナを運搬することができる。
【０００８】
前記運搬具は、前記吊り下げ部を構成する細長い部材のうち、一端部が前記底部に接続された第１部位と、一端部が前記底部に接続された第２部位とを接続する補助部を備えていてもよい。この態様では、吊り下げ部を構成する細長い部材において、第１部位と第２部位との間隔が広がるのを防止できるため、フレキシブルコンテナが落ちてしまうのを防止することができる。また、補助部においてフレキシブルコンテナを外から押さえることもできる。
【０００９】
前記運搬具は、前記２〜４個のフレキシブルコンテナを包み込むカバーを備えていてもよい。この態様では、フレキシブルコンテナが濡れないようにすることができる。また、フレキシブルコンテナに付着した異物等が飛散しないようにすることもできる。
【００１０】
前記底部は、複数の細長い部材を組み合わせた構成であってもよい。この場合、前記カバーの内側に敷く底板が設けられていてもよい。この態様では、底板が設けられているので、底部が細長い部材を組み合わせた構成の場合であっても、複数のフレキシブルコンテナを安定して保持することができる。また、カバーのみでは、カバー内のどの位置に各フレキシブルコンテナを配置したらよいのか分かり難い場合であっても、底板の存在により、各フレキシブルコンテナの載置位置が分かり易くなる。
【００１１】
前記カバーの吸引口から、前記カバー内の空気を吸引可能に構成されていてもよい。この態様では、複数のフレキシブルコンテナをカバーで包み込んだときに、カバー内の体積が大きくなるのを防止することができる。つまり、カバー内の体積を、包み込まれたフレキシブルコンテナの合計の体積に近づけることができる。このため、積み荷スペースを有効に活用することができる。
【００１２】
本発明は、前記運搬具を用いて２〜４個のフレキシブルコンテナを運搬する方法であって、底部に載せられるフレキシブルコンテナの数に一致する数だけ設けられた吊り下げ部に対応した位置の底部上にそれぞれフレキシブルコンテナを置き、結合部によって互いに隣り合う前記吊り下げ部同士を結合し、隣り合うフレキシブルコンテナが互いに密着するように前記吊り下げ部が外から対応するフレキシブルコンテナを押えた状態になるように前記吊り下げ部を持ち上げて前記フレキシブルコンテナを運搬する、運搬具を用いた運搬方法である。
【００１３】
前記運搬方法において、前記２〜４個のフレキシブルコンテナをカバーで包み込み、カバー内の空気を抜いてもよい。
【発明の効果】
【００１４】
以上説明したように、本発明によれば、複数のフレキシブルコンテナを同時に運搬することができる。
【図面の簡単な説明】
【００１５】
【図１】本発明の実施形態に係る運搬具の全体構成を示す図である。
【図２】前記運搬具を用いて被運搬物を運搬する様子を示す図である。
【図３】本発明のその他の実施形態に係る運搬具の全体構成を示す図である。
【図４】本発明のその他の実施形態に係る運搬具の全体構成を示す図である。
【図５】本発明のその他の実施形態に係る運搬具に設けられたカバーによって被運搬物を覆うときの様子を示す図である。
【図６】カバー内の空気を抜くときの様子を示す図である。
【発明を実施するための形態】
【００１６】
以下、本発明を実施するための形態について図面を参照しながら詳細に説明する。
【００１７】
図１に示すように、本実施形態に係る運搬具１０は、収容物が包材５（図２参照）に収容された構成の複数（図例では３つ）の被運搬物７を一括して運搬するためのものである。
【００１８】
包材５は、折り畳みできるような容易に変形可能な柔軟な素材からなり、袋状に形成されている。包材５として、例えば、フレキシブルコンテナ、土嚢袋等を挙げることができる。包材５内には、砂利、樹脂ペレット、土砂などの粉粒体が収容物として収容される。このため、被運搬物７自体も変形可能である。なお、除染廃棄物等が収容されてもよい。
【００１９】
図１に示すように、運搬具１０は、底部１２と、複数（図例では３つ）の吊り下げ部１４と、吊り下げ部１４を補強する補助部１６と、隣り合う吊り下げ部１４同士を結合可能な結合部１８とを備えている。
【００２０】
底部１２は、運搬する被運搬物７の数に対応させた形状に形成されている。図例では、３つの被運搬物７を載せることを目的としているので、略三角形状、より具体的には、３つの長辺と３つの短辺からなる六角形状の外形形状を呈している。底部１２は後述するように細長い部材で形成されているので、本実施形態では、この細長い部材が六角形状になるように曲がった構成となっている。なお、底部１２は、３辺を有する三角形状に形成されていてもよい。この場合、三角形の頂点位置で細長い部材が曲げられていればよく、頂点が角張っている必要はない。ただし、底部１２に載せられた被運搬物７の安定性の観点からは、底部１２は、短辺と長辺を有する六角形状である方が好ましい。
【００２１】
底部１２の外形形状はこの形状に限られない。例えば、２つの被運搬物７を運搬するものである場合には、底部１２は、一方向に長い形状であってもよい。４つの被運搬物７を運搬するものである場合には、底部１２は、略四角形状、具体的には、４つの長辺と４つの短辺からなる八角形状又は同じ長さの８辺を有する八角形状の外形形状を呈していてもよい。また、被運搬物７の数に対応しない外形形状であってもよい。
【００２２】
底部１２は、複数の細長い部材をつなぎ合わせた構成である。細長い部材としては、例えば、テープ材、ロープ等が用いられ得る。代替的に、底部１２は、板状の部材、メッシュ状部材等で形成されていてもよい。
【００２３】
底部１２は、底部１２の外周部を規定する外周部材２１と、外周部材２１の内側に配置された内側部材２２とを備えている。
【００２４】
外周部材２１は、３つの長辺と３つの短辺からなる六角形状に形成されている。外周部材２１は、１本の細長い部材を環状に形成したものであるが、代替的に、複数の細長い部材を互いに接続して環状に形成してもよい。外周部材２１としては、例えば、テープ材、ロープ等が用いられ得る。
【００２５】
内側部材２２は、外周部材２１における隣り合う短辺同士（場合によっては、長辺同士）を繋ぐ３つの架け渡し部２２ａと、隣り合う架け渡し部２２ａを繋ぐ接続部材２２ｂとを有する。架け渡し部２２ａ及び接続部材２２ｂとしては、例えば、テープ材、ロープ等が用いられ得る。
【００２６】
各架け渡し部２２ａは、被運搬物７が載せられる位置に応じて外周部材２１に結合されている。すなわち、架け渡し部２２ａの一端部と外周部材２１との結合位置は、一の被運搬物７が載せられる位置となっており、架け渡し部２２ａの他端部と外周部材２１との結合位置は、前記一の被運搬物７と異なる被運搬物７が載せられる位置となっている。本実施形態では、３つの被運搬物７が三角形状の配置で載置されるように設計されているため、各架け渡し部２２ａは、両端部が外周部材２１における短辺を構成する部位（１つの辺の構成する部位の両側に位置する辺を構成する部位）に接続される一方で、中間位置で湾曲している。このため、後述する吊り下げ部１４は、周方向に１２０度間隔の配置となっている。
【００２７】
なお、４つの被運搬物７が載せられる場合の底部１２では、４つの被運搬物７が四角形状の配置となるため、吊り下げ部１４が周方向に９０度間隔となる。このため、各架け渡し部２２ａは、中間位置で曲がっている必要はなく、また、直交する向きの架け渡し部２２ａ同士が結合されるため、接続部材２２ｂを省略することができる（図３参照）。
【００２８】
各架け渡し部２２ａは、それぞれ外端部となる両端部が外周部材２１に固着されている。架け渡し部２２ａの端部は、外周部材２１と略直交する向きに配置されて外周部材２１に結合されている。そして、細長い部材によって構成された接続部材２２ｂは、外周部材２１から内側に離れた位置で外周部材２１に平行になるように配置されており、接続部材２２ｂの端部は、架け渡し部２２ａと略直交する向きに配置されて架け渡し部２２ａに結合されている。したがって、外周部材２１のうち隣り合う架け渡し部２２ａの結合部位間のスパンと、隣り合う架け渡し部２２ａと、接続部材２２ｂとは、矩形状を形成するように互いに結合されている。各被運搬物７は、この矩形状の部位を含むように、底部１２に載置されることになる。
【００２９】
各吊り下げ部１４は、一端部（基端部）が外周部材２１の一辺に接続されるとともに外周部材２１から遠ざかる方向に延びる第１部位１４ａと、一端部（基端部）が外周部材２１の前記一辺に接続されるとともに外周部材２１から遠ざかる方向に延びる第２部位１４ｂとを有し、この第１部位１４ａの他端部（先端部）と第２部位１４ｂの他端部（先端部）とが繋がることによって、Ｕ字状に形成されている。したがって、吊り下げ部１４と外周部材２１とが細長い形状の環状を形成している。
【００３０】
吊り下げ部１４の一端部（第１部位１４ａの基端部）が架け渡し部２２ａの一端部に繋がっており、吊り下げ部１４の他端部（第２部位１４ｂの基端部）がその隣の架け渡し部２２ａの一端部に繋がっている。本実施形態では、吊り下げ部１４と架け渡し部２２ａとが１本の細長い部材によって形成されている。代替的に、吊り下げ部１４を構成する細長い部材と、架け渡し部２２ａを構成する細長い部材とが別個の部材で構成されていて、これらが互いに接続された構成であってもよい。
【００３１】
補助部１６は、吊り下げ部１４にそれぞれ設けられている。補助部１６は、テープ材、ロープ等の細長い部材によって構成されている。補助部１６の一端部は、吊り下げ部１４の第１部位１４ａに結合され、補助部１６の他端部は、前記吊り下げ部１４の第２部位１４ｂに結合されている。
【００３２】
補助部１６は、例えば、外周部材２１と平行になる配置となっている。このため、第１部位１４ａと第２部位１４ｂとの間隔が広がるのを防止することができる。また、補助部１６は、外周部材２１から被運搬物７の高さ未満となる間隔をおいて配置されている。このため、補助部１６によって、被運搬物７の側面を押さえることができる。
【００３３】
結合部１８は、吊り下げ部１４の第１部位１４ａに結合された第１結合用部材１８ａと、その隣の吊り下げ部１４の第２部位１４ｂに結合された第２結合用部材１８ｂとを有する。各結合用部材１８ａ，１８ｂは、テープ材、ロープ等の細長い部材によって構成されている。図２に示すように、第１結合用部材１８ａと第２結合用部材１８ｂを結び合うことによって、吊り下げ部（第１吊り下げ部）１４とその隣の吊り下げ部（第２吊り下げ部）１４とを互いに結合することができる。これにより、隣り合う被運搬物７同士が密着した状態に保持することができる。なお、第１結合用部材１８ａと第２結合用部材１８ｂを結び合うことによって、隣同士の吊り下げ部を互いに結合する構成に限られない。例えば、第１結合用部材１８ａ及び第２結合用部材１８ｂに取り付けられたマジックテープ（登録商標）によって、隣同士の吊り下げ部を互いに結合する構成であってもよい。
【００３４】
第１結合用部材１８ａ及び第２結合用部材１８ｂが吊り下げ部１４に結合される位置は、外周部材２１から被運搬物７の高さ未満となる間隔をおいた位置となっている。このため、結合部１８によっても、被運搬物７の側面を押さえることができる。なお、結合用部材１８ａ，１８ｂが吊り下げ部１４に結合される位置は、補助部１６の結合位置よりも、外周部材２１の結合位置から遠い位置となっているが、これに限られない。結合用部材１８ａ，１８ｂが吊り下げ部１４に結合される位置は、補助部１６の結合位置よりも、外周部材２１の結合位置に近い側であってもよい。
【００３５】
結合部１８は、結合用部材１８ａ，１８ｂ同士を結ぶ構成なので、被運搬物７の大きさや形状の変化に容易に対応できる。なお、結合部１８は、吊り下げ部１４に固着されているが、これに限られない。吊り下げ部１４に着脱可能に取り付けられる構成でもよい。この場合、一対の結合用部材１８ａ，１８ｂで形成されるのではなく、メッシュ等の部材で形成されていてもよい。
【００３６】
ここで、このように構成された運搬具１０を用いて被運搬物７を運搬する方法について説明する。
【００３７】
まず、運搬具１０を、吊り下げ部１４がそれぞれ底部１２から外側に向かって延びる状態にして地面等に配置する。そして、この運搬具１０において、吊り下げ部１４に対応した位置の底部１２上にそれぞれ被運搬物７を置く（図１参照）。したがって、複数（図例では３つ）の被運搬物７が底部１２上に配置される。つまり、底部１２の外周部材２１において、少なくとも吊り下げ部１４が接続された位置に被さるように各被運搬物７を置く。このとき、吊り下げ部１４の第１部位１４ａ及び第２部位１４ｂの基端部付近にも被運搬物７が被さる。
【００３８】
そして、各吊り下げ部１４を持ち上げる。これにより、吊り下げ部１４の第１部位１４ａ及び第２部位１４ｂが被運搬物７の側面に沿う。このとき、クレーン等で吊り下げ部１４に張力がかかるように吊り下げ部１４を引っ張り上げると、各吊り下げ部１４は、対応する被運搬物７の側面を押さえ付けることができる。
【００３９】
この状態で、第１結合用部材１８ａと第２結合用部材１８ｂとを互いに結ぶことにより、隣り合う吊り下げ部１４同士を結合する。これにより、隣り合う被運搬物７が密着した状態に保持される（図２参照）。この状態で、吊り下げ部１４をさらに引っ張り上げて運搬具１０を浮かせることにより、被運搬物７を運搬することができる。
【００４０】
以上説明したように、本実施形態では、底部１２に複数の被運搬物７を載せることができるため、クレーン等で複数の吊り下げ部１４を吊持することにより、一度に複数の被運搬物７を運搬することができる。しかも、底部１２に載せられた被運搬物７の数に対応した数の吊り下げ部１４が設けられているため、各吊り下げ部１４によってそれぞれ被運搬物７を押さえることができる。さらにまた、結合部１８によって隣り合う被運搬物７が密着した状態に保持されるので、複数の被運搬物７を一括して運搬するときに、安定した状態で被運搬物７を運搬することができる。
【００４１】
また、本実施形態では、吊り下げ部１４に補助部１６が設けられているので、吊り下げ部１４を構成する細長い部材において、第１部位１４ａと第２部位１４ｂとの間隔が広がるのを防止することができる。このため、被運搬物７が落ちてしまうのを防止することができる。また、補助部１６において被運搬物７を外から押さえることもできる。
【００４２】
なお、本発明は、前記実施形態に限られるものではなく、その趣旨を逸脱しない範囲で種々変更、改良等が可能である。例えば、図４に示すように、複数の被運搬物７を載せる底板２６を備えていてもよい。底板２６は、底部１２の外形形状に相似した形状である。底板２６は、底部１２よりも一回り大きくてもよく、あるいは一回り小さくてもよく、あるいは同じ大きさであってもよい。底板２６が設けられていれば、被運搬物７を吊り上げたときの安定性を向上することができる。
【００４３】
図５に示すように、運搬具１０は、複数の被運搬物７を包み込むカバー３０を備えていてもよい。カバー３０が設けられていれば、被運搬物７が濡れないようにすることができる。また、被運搬物７に付着した異物等が飛散しないようにすることもできる。
【００４４】
カバー３０には、底部１２及び吊り下げ部１４が固着されていてもよい。こうすれば、カバー３０に対する底部１２及び吊り下げ部１４の位置が決まるため、吊り下げ部１４の位置がずれることを防止することができる。
【００４５】
カバー３０は、袋状に形成されていてもよい。代替的に、カバーは１枚のシートによって形成されていてもよい。
【００４６】
カバー３０の中に底板２６が敷かれている構成とすれば、カバー３０内のどの位置に各被運搬物７を配置したらよいのか分かり難い場合であっても、底板２６の存在により、各被運搬物７の載置位置が分かり易くなる。
【００４７】
被運搬物７をカバー３０で包み込んだ場合には、カバー３０内に空気が入って膨らんだ形状になることがある。そこで、カバー３０の上部開口を閉じて被運搬物７を包み込んだときに、図６示すように、上部開口の隙間（吸引口）３３を通してブロアー３５によってカバー３０内の空気を吸引するようにしてもよい。そして、カバー３０の膨らみが解消されれば、ブロアー３５を外して、上部開口をガムテープ等の塞ぎ部材で塞ぐようにすればよい。なお、カバー３０に、ブロアー３５の先端を挿入可能な専用の開口部（吸引口）を形成しておいてもよい。
【符号の説明】
【００４８】
５  包材
７  被運搬物
１０  運搬具
１２  底部
１４  吊り下げ部
１４ａ  第１部位
１４ｂ  第２部位
１６  補助部
１８  結合部
１８ａ  第１結合用部材
１８ｂ  第２結合用部材
２１  外周部材
２２  内側部材
２２ａ  架け渡し部
２２ｂ  接続部材
２６  底板
３０  カバー
３３  隙間
３５  ブロアー
【図１】
0006599657.tif 000002
【図２】
0006599657.tif 000003
【図３】
0006599657.tif 000004
【図４】
0006599657.tif 000005
【図５】
0006599657.tif 000006
【図６】
0006599657.tif 000007